(57)【要約】【課題】  遊技玉の動きを十分に楽しむことができ、遊技客の興趣を高めることができる遊技機を提供する。【解決手段】  遊技者が視認できるように設けられた演出表示部と、演出表示部の下方部に位置し、取り込んだ遊技玉を放出する発射手段と、遊技玉を発射手段よりも上方向に移送する受け渡し移送手段と、発射手段から放出された遊技玉を受け渡し移送手段に案内するレールと、発射手段よりも上方部に位置する入賞口と、を設けたことにより達成される。【選択図】      図４
2008079887.tif 000002
【特許請求の範囲】
【請求項１】
遊技盤面上に発射された遊技玉により遊技を行う遊技機において、
遊技者が視認できるように設けられた演出表示部と、
前記演出表示部の下方部に位置し、取り込んだ遊技玉を放出する発射手段と、
前記遊技玉を前記発射手段よりも上方向に移送する受け渡し移送手段と、
前記発射手段から放出された前記遊技玉を前記受け渡し移送手段に案内するレールと、
前記発射手段よりも上方部に位置する入賞口と、
を設けたことを特徴とする遊技機。
【発明の詳細な説明】
【技術分野】
【０００１】
本発明は、遊技領域に設けられ、遊技玉に特殊な動きを与え、遊技を演出する遊技機に関する。
【背景技術】
【０００２】
従来、遊技店に設置される遊技機には、略中央部に変動入賞装置が設けられている。前記変動入賞装置には羽根部材を備え、始動条件の成立により羽根部材を所定回数開放制御する補助遊技を行い、前記補助遊技中に前記変動入賞装置の内部の入賞口に入賞した場合に大当たりを発生させる遊技機が存在する。
【０００３】
昨今、前述する遊技機において下記先願が開示されている。この文献に開示されている遊技機の変動入賞装置は、前記変動入賞装置の内部に振り分け部材と誘導部材とを設け、それぞれ往復回動、往復揺動を行わせるようにしたことで、遊技玉に動きを与え、前記遊技玉が前記変動入賞装置の下部に位置する特定入賞口に入賞した場合に大当たりを発生させる遊技機である。
【特許文献１】特開２００３―２９０４８９
【発明の開示】
【発明が解決しようとする課題】
【０００４】
しかしながら、この種の遊技機においては、遊技玉の自重流下による遊技機のゲーム性により、変動入賞装置の内部で遊技玉に動きを与える部材と、前記変動入賞装置の下部に特定入賞口を設けているものが多く存在し、遊技パターンが単調化する傾向があり、遊技客の遊技に対する興趣をそいでいた。
【０００５】
本発明は上記課題を鑑み、遊技玉の動きを十分に楽しむことができ、遊技客の興趣を高めることができる遊技機を提供する。
【課題を解決するための手段】
【０００６】
上記目的を達成するために、遊技盤面上に発射された遊技玉により遊技を行う遊技機において、遊技者が視認できるように設けられた演出表示部と、演出表示部の下方部に位置し、取り込んだ遊技玉を放出する発射手段と、遊技玉を発射手段よりも上方向に移送する受け渡し移送手段と、発射手段から放出された遊技玉を受け渡し移送手段に案内するレールと、発射手段よりも上方部に位置する入賞口と、を設けたことにより達成される。
【発明の効果】
【０００７】
本発明によれば、遊技玉が発射手段により上方向に移送し、入賞口に投入可能としたことで、遊技玉の動きを十分に楽しむことができ、遊技客の興趣を高めることができる遊技機を提供することができる。
【実施例１】
【０００８】
以下、各図面に基づき本発明の遊技機１を詳細に説明する。  図１は変動入賞装置１１を供えた遊技機１の正面図を示す図である。図１に示すとおり、前記遊技機１は前面にガラス扉（不図示）越しに遊技領域３を有し、該遊技領域３の略中央位置には演出表示部１３を備えた変動入賞装置１１と、該変動入賞装置１１の下部に位置し、遊技玉を取り込む始動入賞口３ａと、が配されている。
【０００９】
また、遊技機１の下方位置には、遊技客が遊技玉を投入する打玉供給皿５と、前記打玉供給皿５に払い出される賞品玉が該前記打玉供給皿５に収まりきれなくなる場合に払出しを行う余剰玉受皿７と、遊技玉発射用の遊技客が操作を行う操作ハンドル９と、をそれぞれ備えている。
【００１０】
図２は変動入賞装置１１の正面図を示す図である。変動入賞装置１１は、略中央に数字、文字、図柄等の表示記号や可動体などの役物を変動表示させる演出表示部１３と、該演出表示部１３の左部に設けられ、蛇行形状の玉通路１５ａを有し、その下部には遊技玉を横方向に発射する玉発射装置１７を設けた玉導入発射部１５と、から構成されている。前記玉通路１５ａの上端には遊技中、上方向より落下してくる遊技玉を変動入賞装置１１の内部へ導くための玉受入口１５ｂと、羽根部材１５ｃ        と、を有し、前記玉受入口１５ｂは通常、前記羽根部材１５ｃにより閉口されており、始動条件の成立によって羽根部材１５ｃが可動し、玉受入口１５ｂが開口する。
【００１１】
また、前記演出表示部１３の下方向に位置し、前記玉発射装置１７より放出された遊技玉を横方向に案内するレール１９と、前記レール１９の端部に設けられ、上方向に向けた湾曲形状と成し、レール１９により案内される遊技玉を放出する放出台１９ａと、前記演出表示部１３の右部に設けられ、前記放出台１９ａにて放出された遊技玉を演出表示部１３の上方向に移送する、側面が湾曲形状と成した玉移送通路２１と、演出表示部１３の上方向に位置し、下方向に湾曲し玉移送通路２１側が斜面形状と成した抽選部２３と、で構成されている。前記抽選部２３の略中央部には特定入賞口２５が設けられ、玉移送通路２１により送出された遊技玉が前記抽選部２３によって左右方向に転動し、前記遊技玉の転動条件により特定入賞口２５に入賞する。
【００１２】
図３は玉発射装置１７の構成を示す外斜視図である。玉発射装置１７は、玉導入発射部１５の下部に位置し、玉通路１５ａの下端に設けられている。玉発射装置１７は、玉の通過を確認する玉通過センサ１７ａと、モータＭ１により回転制御されるスプロケット１７ｂと、上下一対に設けた発射ローラ１７ｃと、から構成されている。玉通過センサ１７ａは蛇行形状の玉通路１５ａに配され、略四角形状でその中心部が円形に開口しており、該円形の開口部を遊技玉が通過する。スプロケット１７ｂの円周には遊技玉を一時保留する凹みが円周上等間隔に配され、遊技玉が前記玉通過センサ１７ａを通過した際、モータＭ１によってスプロケット１７ｂが回転し、遊技玉を発射ローラ１７ｃに押し込む。
【００１３】
発射ローラ１７ｃはウレタン樹脂、ゴム材質等の弾性体で成型された円筒形状であり、玉通路１５ａの上下一体に配され、それぞれモータＭ２にて同一方向（矢印方向）に回転する。前記スプロケット１７ｂにて押し出された遊技玉は上下一対に配された発射ローラ１７ｃの間に挟み込み、該遊技玉は前記発射ローラ１７ｃの回転により、レールへ放出される。発射ローラ１７ｃはウレタン樹脂、ゴム材質等弾性体で成型されたとしたが、該発射ローラ１７ｃをＡＢＳ樹脂等の円筒形状で設け、その外周に弾性体を巻きつけてもよい。
【００１４】
次に図４を用いて本発明における作用を説明する。  図４は変動入賞装置１１の正面図であり、作用を示す詳細図である。遊技玉を始動入賞口３ａ（図１参照）に投入することで、玉導入発射部１５の羽根部材１５ｃが稼動し、玉受入口１５ｂが開放状態と成す。開放状態時に遊技玉を入れ込むと蛇行形状の玉通路１５ａを自重落下し玉通過センサ１７ａを通過する。前記玉通過センサ１７ａを通過後、遊技玉はスプロケット１７ｂの凹みに一時保留される。前記玉通過センサ１７ａを通過したことで、モータＭ１により回転制御されたスプロケット１７ｂが回転を行い、該スプロケット１７ｂの凹みに一時保留された遊技玉を発射ローラ１７ｃへ押し込む。遊技玉は上下一対に設けられた発射ローラ１７ｃの間に挟み込み、該発射ローラ１７ｃの回転により、レール１９へ放出される。
【００１５】
放出された遊技玉は前記レール１９にて横方向に直進し、該レール１９の端部に設けられた放出台１９ａにて、上方向に放出向きを補正し、遊技玉を飛ばす。飛ばされた遊技玉は、側面が湾曲形状した玉移送通路２１により、該湾曲形状に沿って演出表示部１３の上方向に位置する抽選部２３へ移送される。前記抽選部２３に移送された遊技玉は、該抽選部２３の湾曲形状にて左右方向に転動し、前記遊技玉は落下位置、転動スピード、摩擦等の転動条件により特定入賞口２５に入賞するか、斜面形状側より遊技領域３に落下する。
【００１６】
前述する作用により、遊技玉を演出表示部１３の下方より発射装置１７にて遊技玉を放出し、玉移送通路２１によって上方向の特定入賞口２５に入賞することで、従来、遊技玉の自重落下にて下方の特定入賞口に投入する遊技機と違い、遊技玉が上方向に移送されるという従来の遊技機に無い、異なったゲーム性の演出が可能である。また、遊技玉は上方向に移送されるため遊技客は遊技玉の動きを十分に楽しむことができ、遊技客の興趣を高めることができる。
【００１７】
本発明において、遊技玉は玉通過センサ１７ａを通過後、モータＭ１を駆動させ、自動で上下一対の発射ローラ１７ｃの間に押し込むとしたが、遊技客の任意で遊技玉を押し込み放出可能としても良い。その際、遊技機１にはプッシュボタン等が設けられ、遊技玉が玉通過センサ１７ａを通過しスプロケット１７ｂにて一時保留している際に、演出表示部１３にて図柄、ライト発光、文章表示（例えば「発射ボタンを押せ」等）などを表示し、遊技客に伝達を行い、該遊技客がプッシュボタン等を押すことでスプロケット１７ｂのモータＭ１を駆動させ、遊技玉を押し込み放出させる。
【００１８】
また、本発明における玉移送通路２１では、側面が湾曲形状としているため遊技玉を上方向に移送可能としたが、図５、図６の示す通り、上下方向、一定間隔に小領域の湾曲形状部２７ａを複数設け、遊技玉を上方向に移送する手段でもよい。
【００１９】
図５の玉移送通路２７には、小領域の湾曲形状部２７ａを上下方向、一定間隔に複数設けたもので、放出台１９ａより放出される遊技玉の勢いのみで各湾曲形状部２７ａに沿って上方向に移送する。また、図６の玉移送通路２９には、上下方向、一定間隔に複数有した小領域の湾曲形状部２７ａの下部に遊技玉を弾くロータ２９ａが設けられ、放出台１９ａより放出される遊技玉をロータ２９ａにて弾き、湾曲形状部２７ａに沿って各ロータ２９ａに受け渡しを行い、上方向に移送する。
【００２０】
本発明における遊技機１の変動入賞装置１１は、本内容で説明した遊技方法で限定せず、他の機種（例えば第一種遊技機等）にも転用可能とする。
【図面の簡単な説明】
【００２１】
【図１】変動入賞装置を供えた遊技機１の正面図を示す図である。
【図２】変動入賞装置の正面図を示す図である。
【図３】玉発射装置の構成を示す外斜視図である。
【図４】変動入賞装置の正面図であり、作用を示す詳細図である。
【図５】他の実施例を示す詳細図である。
【図６】他の実施例を示す詳細図である。
【符号の説明】
【００２２】
１      遊技機  １１    変動入賞装置  １３    演出表示部１７    玉発射装置（発射手段）１７ａ  玉通過センサ１７ｂ  スプロケット１７ｃ  発射ローラ１９    レール１９ａ  放出台２１    玉移送通路（受け渡し移送手段）２３    抽選部２５    特定入賞口（入賞口）２７    玉移送通路（受け渡し移送手段）２７ａ  湾曲形状部２９    玉移送通路（受け渡し移送手段）２９ａ  ロータＰ      遊技玉Ｍ１    モータＭ２    モータ
【図１】
2008079887.tif 000003
【図２】
2008079887.tif 000004
【図３】
2008079887.tif 000005
【図４】
2008079887.tif 000006
【図５】
2008079887.tif 000007
【図６】
2008079887.tif 000008